(57)【要約】【課題】  同じ文字列データを重複して記憶することを防止し、記憶領域を効率的に利用すること。【解決手段】  ファクシミリ装置８は、ネットワークインタフェースとしてのＮＩＣ１を有し、ユーザインタフェースとしての画像を表示する表示手段としての表示部４ｃと、文字列データを記憶する記憶手段としてのメモリを含む本体制御部３と、メモリに記憶された文字列データを用いて、表示手段で表示する画像を生成する画像生成手段として表示制御部４ｂと、ネットワークインタフェースを介して入力した閲覧要求に応じて、メモリに記憶された文字列データを用いて、マークアップ言語で記述された表示データとしてのＨＴＭＬファイルを生成する表示データ生成手段としてのＨＴＴＰサーバとを有する。【選択図】  図１
2006025127.tif 000002
【特許請求の範囲】
【請求項１】
ネットワークインタフェースを有する画像処理装置であって、
ユーザインタフェースとしての画像を表示する表示手段と、
文字列データを記憶する記憶手段と、
前記記憶手段に記憶された前記文字列データを用いて、前記表示手段で表示する画像を生成する画像生成手段と、
前記ネットワークインタフェースを介して入力した閲覧要求に応じて、前記記憶手段に記憶された前記文字列データを用いて、マークアップ言語で記述された表示データを生成する表示データ生成手段と、
を有することを特徴とする画像処理装置。
【請求項２】
前記記憶手段は、メッセージの意味を識別する複数の識別子と、各識別子に対応する複数言語の文字列データと、を記憶しており、
前記表示データ生成手段は、前記識別子が埋め込まれた基本表示データを記憶しており、該基本表示データの前記識別子に対応する文字列データであって、所定の言語によって表現されたものを前記記憶手段から読出し、読出した文字列データと前記基本表示データとを用いて前記表示データを生成することを特徴とする請求項１に記載の画像処理装置。
【請求項３】
前記表示データ生成手段は、
前記閲覧要求を送信した端末に対応する言語設定を記憶しており、前記閲覧要求の送信元の端末を特定して、該端末に対応する言語設定を読出し、読出した該言語設定に対応する文字列データを前記記憶手段から読出して前記表示データの生成を行なうことを特徴とする請求項２に記載の画像処理装置。
【請求項４】
前記表示データ生成手段は、
前記閲覧要求の送信元の端末から言語設定の指示を受け付けた場合に、該端末と言語設定とを対応付けて記憶することを特徴とする請求項３に記載の画像処理装置。
【請求項５】
前記画像生成手段は、
前記表示手段で表示する画像に用いる言語を設定した言語設定を有し、
前記表示データ生成手段は、
前記閲覧要求の送信元の端末から、言語設定の指示を受け付けていない場合には、前記画像生成手段に設定された言語設定に応じた言語の文字列データを前記記憶手段から読出して表示データを生成することを特徴とする請求項４に記載の画像処理装置。
【請求項６】
前記画像生成手段は、
前記表示手段で表示する画像に用いる言語を設定した言語設定を有することを特徴とする請求項１に記載の画像処理装置。
【請求項７】
ネットワークインタフェースと、文字列データを記憶する記憶手段と、を備えた画像処理装置の制御方法であって、
前記記憶手段に記憶された前記文字列データを用いて、画像を生成する画像生成工程と、
前記画像生成工程で生成した画像をユーザインタフェースとして表示する表示工程と、
前記ネットワークインタフェースを介して画像閲覧要求を入力する入力工程と、
前記入力工程で入力した閲覧要求に応じて、前記記憶手段に記憶された前記文字列データを用いて、マークアップ言語で記述された表示データを生成する表示データ生成工程と、
前記表示データ生成工程で生成した表示データを、前記閲覧要求の送信元に送信する送信工程と
を含むことを特徴とする画像処理装置の制御方法。
【請求項８】
ネットワークインタフェースと、文字列データを記憶する記憶手段と、を備えた画像処理装置の制御プログラムであって、
前記画像処理装置に、
前記記憶手段に記憶された前記文字列データを用いて、画像を生成する画像生成工程と、
前記画像生成工程で生成した画像をユーザインタフェースとして表示する表示工程と、
前記ネットワークインタフェースを介して画像閲覧要求を入力する入力工程と、
前記入力工程で入力した閲覧要求に応じて、前記記憶手段に記憶された前記文字列データを用いて、マークアップ言語で記述された表示データを生成する表示データ生成工程と、
前記表示データ生成工程で生成した表示データを、前記閲覧要求の送信元に送信する送信工程と
を実行させることを特徴とする画像処理装置の制御プログラム。
【請求項９】
請求項８に記載の制御プログラムを記憶したことを特徴とするコンピュータが読取可能な記憶媒体。
【発明の詳細な説明】
【技術分野】
【０００１】
本発明は、ネットワークインタフェースを備えた画像処理装置及びその制御方法に関する。
【背景技術】
【０００２】
近年、画像処理装置の一種として、ネットワークインタフェースを備え、ネットワーク上の端末からの閲覧要求に応じて、表示データを送信する機能を有するものが存在する（特許文献１）。また、そのような画像処理装置の中には、更に、液晶ディスプレイなどの表示手段を備えたものが知られており、この場合、表示手段に表示するための画像を生成する機能を更に備えている。
【０００３】
そして、ネットワークを介して送信する表示データと、表示手段に表示する画像データとは、全く同じ文字列データを含む場合が多い。
【特許文献１】特開平11-316658号公報
【発明の開示】
【発明が解決しようとする課題】
【０００４】
しかしながら、上記従来の画像処理装置では、ネットワークを介して送信する表示データと、表示手段に表示する画像データとを別個独立に記憶していた。
【０００５】
従って、同じ文字列データを重複して記憶することになり、表示データや画像データを記憶する記憶容量が過大となっていた。そして、装置に組み込むＲＯＭ等の記憶媒体の容量が大きくなり、装置自体の生産性を低下させるという問題を生じていた。
【０００６】
本発明は、上記従来技術の課題を解決するためになされたもので、その目的とするところは、文字列データを効率的に利用することのできる画像処理装置を提供することにある。
【課題を解決するための手段】
【０００７】
上記目的を達成するため、本発明に係る装置は、
ネットワークインタフェースを有する画像処理装置であって、
ユーザインタフェースとしての画像を表示する表示手段と、
文字列データを記憶する記憶手段と、
前記記憶手段に記憶された前記文字列データを用いて、前記表示手段で表示する画像を生成する画像生成手段と、
前記ネットワークインタフェースを介して入力した閲覧要求に応じて、前記記憶手段に記憶された前記文字列データを用いて、マークアップ言語で記述された表示データを生成する表示データ生成手段と、
を有することを特徴とする。
【０００８】
前記記憶手段は、メッセージの意味を識別する複数の識別子と、各識別子に対応する複数言語の文字列データと、を記憶しており、
前記表示データ生成手段は、前記識別子が埋め込まれた基本表示データを記憶しており、該基本表示データの前記識別子に対応する文字列データであって、所定の言語によって表現されたものを前記記憶手段から読出し、読出した文字列データと前記基本表示データとを用いて前記表示データを生成することを特徴とする。
【０００９】
前記表示データ生成手段は、
前記閲覧要求を送信した端末に対応する言語設定を記憶しており、前記閲覧要求の送信元の端末を特定して、該端末に対応する言語設定を読出し、読出した該言語設定に対応する文字列データを前記記憶手段から読出して前記表示データの生成を行なうことを特徴とする。
【００１０】
前記表示データ生成手段は、
前記閲覧要求の送信元の端末から言語設定の指示を受け付けた場合に、該端末と言語設定とを対応付けて記憶することを特徴とする。
【００１１】
前記画像生成手段は、
前記表示手段で表示する画像に用いる言語を設定した言語設定を有し、
前記表示データ生成手段は、
前記閲覧要求の送信元の端末から、言語設定の指示を受け付けていない場合には、前記画像生成手段に設定された言語設定に応じた言語の文字列データを前記記憶手段から読出して表示データを生成することを特徴とする。
【００１２】
前記画像生成手段は、
前記表示手段で表示する画像に用いる言語を設定した言語設定を有することを特徴とする。
【発明の効果】
【００１３】
本発明によれば、同じ文字列データを重複して記憶することを防止することができ、記憶領域を効率的に利用することができる。
【発明を実施するための最良の形態】
【００１４】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１５】
（構成）
図１は、本発明の実施形態としてのファクシミリ装置８の内部構成及びファクシミリ装置８を適用可能な周辺環境について説明するための図である。
【００１６】
ファクシミリ装置８は、大きく分けて、ネットワークインターフェース（ＮＩＣ）１、プリンタ制御部２、本体制御部３、操作パネル４、ＦＡＸ制御部５から構成されている。ＦＡＸ制御部５は公衆回線９に接続し、他のファクシミリ装置１０等とファクシミリ手順での送受信が可能となっている。操作パネル４は、ボタン等を含む操作部４ａと、液晶ディスプレイからなる表示部４ｃと、表示部４ｃの表示を制御する表示制御部４ｂとを含む。
【００１７】
また、図１においてファクシミリ装置８は、ＬＡＮ等のネットワーク６に接続されている。ネットワーク６には、リモート操作用のＰＣなどの端末７が複数台接続可能であり、利用者は端末７上で動作するブラウザソフトウエアから、ファクシミリ装置８のネットワークアドレスをＨＴＴＰサーバとして指定し、アクセスすることによってリモート操作を可能とする。
【００１８】
一方で、表示部４ｃに表示されるメッセージを見ながら、操作部４ａを操作して、ファクシミリ装置８を制御することも可能である。
【００１９】
（動作）
図２は、端末７、ＮＩＣ１、本体制御部３の動作と、それぞれの間の情報の流れを、時系列的に表現したものである。
【００２０】
本体の電源を投入すると、ＮＩＣ１と本体制御部３は連動して初期化を行う（Ｎ１／Ｈ１）。その後、本体制御部３からＮＩＣ１へ機種判別に必要な情報を渡す（Ｕ１）。ＮＩＣ１はその情報を保存し、機種に応じたコンテンツ作成の準備を行う（Ｎ２）。
【００２１】
端末７の利用者が、ブラウザを起動しＮＩＣ１の持つアドレスを指定すると（Ｔ１）、ＬＡＮ経由でサービス要求がＮＩＣ１に到達する（Ｌ１）。ＮＩＣ１は、製品の外観図や、ファクシミリの送受信結果情報など、コンテンツを生成するのに必要な情報と、文字列データを、本体制御部３に要求する（Ｕ２）。本体制御部３はこの要求に応じて、所定の情報と文字列データとをＮＩＣ１に渡す（Ｕ３）。ＮＩＣ１はそれらの情報を基に、コンテンツを生成する（Ｎ３）。具体的には、ＣＧＩ（Ｃｏｍｍｏｎ Ｇａｔｅｗａｙ Ｉｎｔｅｒｆａｃｅ）を呼び出したり、ＳＳＩ（Ｓｅｒｖｅｒ Ｓｉｄｅ Ｉｎｃｌｕｄｅ）や受け取った文字列データを埋め込んだりすることによってＨＴＭＬファイルを作成する。
【００２２】
その後、ＮＩＣ１はサービスの応答として、端末７上のブラウザで表示すべきＨＴＭＬファイル情報を返し（Ｌ２）、利用者はファクシミリ装置８に関する情報を端末７上のブラウザで閲覧可能となる。
【００２３】
利用者が、端末７から、ファクシミリ装置８内の情報の書き換えや、表示言語の選択、実行中の処理の停止などの操作を行う場合は、コンテンツの内容に応じてブラウザ上で処理を選択する（Ｔ２）。その情報がＬＡＮ経由でＮＩＣ１に到達すると（Ｌ３）、ＮＩＣ１はあらかじめ決められた処理をＣＧＩやＳＳＩを利用して実行し、本体制御部３へ操作要求を発行する（Ｕ４）。本体制御部３において要求された処理が成功すると（Ｈ２）、応答を返し（Ｕ５）、ＮＩＣ１はそれに応じて表示すべき画面を切り替え（Ｎ４）、表示情報を返送する（Ｌ４）。
【００２４】
以後、同様の繰り返しによって、本体装置情報の表示及び、装置のリモート操作を繰り返すことができる。
【００２５】
図３は、図２のＮ３で示されたコンテンツ作成処理の流れを示すフローチャートである。
【００２６】
ＮＩＣ１は、端末７からのサービス要求（Ｌ１）に応じて、基本となるＳＨＴＭＬファイルをＨＴＴＰサーバから読出し、１行ずつ解析する（Ｓ３０１）。予めＨＴＴＰサーバに格納されたＳＨＴＭＬファイルは、文字列データを含まず、文字列に関する情報は、全て、言語に依存しないメッセージＩＤの形式で記述されている。
【００２７】
ＳＨＴＭＬファイルの先頭行には空のＨＴＭＬファイルを生成するＣＧＩプログラムが埋め込まれており、そのＣＧＩプログラムを実行することによって、空のＨＴＭＬファイルが生成される（Ｓ３０３）。
【００２８】
次に、ステップＳ３０５に進み、次の行の解析に移る。ステップＳ３０７では、解析行中にファイルエンドが記述されているか否か判定し、ファイルエンドが見つかると、その時点で解析処理を終了する。
【００２９】
解析行にファイルエンドがなければ、ステップＳ３０９に進み、メッセージＩＤがあるか否か判定する。解析行にメッセージＩＤが埋め込まれていれば、ステップＳ３１１に進み、そのメッセージＩＤを、要求されている言語設定値と共に本体制御部３に渡し、文字列データを要求する。この要求に応じて本体制御部３から文字列データが渡されると、それを取得し、ステップＳ３０３で生成されたＨＴＭＬファイルに、取得した文字列データを埋め込む（Ｓ３１３）。
【００３０】
一方、ステップＳ３０９で、解析行にメッセージＩＤが無いと判断すると、ＳＨＴＭＬファイルの記述をそのままＨＴＭＬファイルにコピーする（Ｓ３１５）。
【００３１】
このようにしてＳＨＴＭＬファイルをファイルエンドまで読み込んで（Ｓ３０７）、ＨＴＭＬファイルを動的に作成する。
【００３２】
例えば、ＳＨＴＭＬファイルにメッセージＩＤ、１００４が記載されており、要求されている言語が英語である場合、“ＰＡＰＥＲ  ＳＥＴＴＩＮＧＳ”を文字列として、ＨＴＭＬファイルにコピーしていく。動的に作成されたＨＴＭＬファイルは、（Ｌ２）において返送される。
【００３３】
図４は、本体制御部３内のメモリ空間上に記憶された文字列テーブルを示す図である。図３に示すように日本語の文字列データとメッセージＩＤとの対応を示す文字列テーブル４０１及び英語の文字列データとメッセージＩＤとの対応を示す文字列テーブル４０２は、共通のメモリ空間上に配置されている。本体制御部３は、メッセージＩＤと言語設定値とに基づいて、メモリ上のアドレスを導きだすことができる。図のように同じメッセージＩＤに対応する文字列データは、言語が異なっても同じ意味を表わす文字列となっている。
【００３４】
ここでは、日本語用の文字列テーブル４０１と英語用の文字列テーブル４０２について図示したが、本発明はこれに限定されるものではなく、他の言語（中国語、韓国語、フランス語、イタリア語、ドイツ語など）で表わされた文字列データとメッセージＩＤとの対応関係を格納しても良く、その場合もそれらの文字列テーブルを共通のメモリ空間上に配置することが望ましい。
【００３５】
図５は、本体制御部３がメッセージ要求に対して行なう処理の流れを示すフローチャートである。
【００３６】
本体の表示制御部４ｂは、操作部４ａに対するユーザの操作に応じて、表示部４ｃに所望の文字列を表示しようとする場合、本体制御部３に対してメッセージＩＤを指定した文字列データの要求を行なう。
【００３７】
本体制御部３は、本体の表示制御部４ｂからメッセージＩＤで特定される文字列データの要求を受け付けると（Ｓ５０１）、受け付けたメッセージＩＤと、ユーザがあらかじめ装置の登録データとして設定しておいた言語設定値（どの言語を用いて文字列を表示するかを定義する値）と、に基づいて、文字列データが格納されているアドレスを調べて返答する（Ｓ５０２）。表示制御部４ｂは、返答のあったアドレスに基づいてメモリにアクセスし、所望の文字列データを読出す。例えば、言語設定値が日本語で、メッセージＩＤが１００１であれば、図４の対応テーブル４０１より、“名前”という文字列データが得られる。
【００３８】
なお、装置の登録データとして設定される言語設定値は、ユーザによる操作部４ａへの操作により、予め装置に定められた範囲で変更することができる。表示部４ｃに英語表記を行なうか日本語表記を行なうかの選択画面を表示させ、ユーザの選択に応じて登録データに言語設定値を設定すればよい。
【００３９】
一方、ネットワーク経由でのリモート操作により、ＮＩＣ１のＨＴＴＰサーバから文字列データの要求があった場合（図３のＳ３１１）も、本体制御部３はほぼ同様の処理を行う。ＮＩＣ１のＨＴＴＰサーバは、ある端末７において図２のＴ２の処理により言語が選択された場合、その言語に対応する言語設定値をその端末７に対応付けて保持する。つまり、ＨＴＴＰサーバには言語設定値と端末との対応関係を示すテーブルが格納されている。したがって、その後はその端末７から表示要求があると、ＨＴＴＰサーバは、その端末７に対応する言語設定値を読出し、その言語設定値とメッセージＩＤとを指定して、本体制御部３に文字列データを要求する。これに応じて図５の処理が行なわれ、本体制御部３は、言語設定値とメッセージＩＤとを含むメッセージ要求を受け付けると（Ｓ５０１）、受け付けたメッセージＩＤ及び言語設定値に基づいて、文字列データが格納されているアドレスを調べて返答する（Ｓ５０２）。ＨＴＴＰサーバは、返答のあったアドレスに基づいてメモリにアクセスし、所望の文字列データを読出す。
【００４０】
すなわち、端末７のブラウザに文字列を表示するためにＨＴＴＰサーバでＨＴＭＬデータを生成する場合も、表示部４ｃに文字列を表示する場合も、本体制御部３は全く同じ処理を行なう。
【００４１】
なお、端末７から表示要求があった際、ＨＴＴＰサーバが、その端末７に対応する言語設定値を記憶していない場合には、表示制御部４ｂで設定登録された言語設定値を用いて、本体制御部３に文字列データを要求する。
【００４２】
また、ここでは、端末７のブラウザからの要求に応じてＳＨＴＭＬファイルからＨＴＭＬファイルを生成して、端末７に表示しているが、表示制御部４ｂでも、同様に、ブラウザを実行してＨＴＭＬファイルを展開し、表示画像を生成しても良い。
【００４３】
以上のように、本発明に係る画像処理装置の一実施形態としてのファクシミリ装置８は、ネットワークインタフェースとしてのＮＩＣ１を有し、ユーザインタフェースとしての画像を表示する表示手段としての表示部４ｃと、文字列データを記憶する記憶手段としてのメモリを含む本体制御部３と、メモリに記憶された文字列データを用いて、表示手段で表示する画像を生成する画像生成手段として表示制御部４ｂと、ネットワークインタフェースを介して入力した閲覧要求に応じて、メモリに記憶された文字列データを用いて、マークアップ言語で記述された表示データとしてのＨＴＭＬファイルを生成する表示データ生成手段としてのＨＴＴＰサーバとを有する。このように、記憶手段に記憶された文字列データを、表示部に表示する画像データと、ネットワークを介して送信する表示データとで共用することにより、文字列データを重複して記憶すること防止でき、メモリの記憶領域を効率的に利用することが可能となる。
【００４４】
また、上記ファクシミリ装置８において、メモリは、メッセージの意味を識別する複数の識別子としてのメッセージＩＤと、各メッセージＩＤに対応する複数言語の文字列データと、を記憶している。そして、表示データ生成手段としてのＨＴＴＰサーバは、メッセージＩＤが埋め込まれた基本表示データとしてのＳＨＴＭＬファイルを記憶しており、ＳＨＴＭＬファイルに含まれるメッセージＩＤに対応する文字列データであって、所定の言語によって表現されたものをメモリから読出し、読出した文字列データとＳＨＴＭＬファイルとを用いて表示データとしてのＨＴＭＬファイルを生成する。これにより、１つのＳＨＴＭＬファイルによって、複数言語に対応することが可能となる。つまり、複数言語毎にＨＴＭＬファイルを記憶する必要が無くなり、メモリの記憶領域をより効率的に利用することができる。
【００４５】
また、図５を用いた説明の後段に記載したとおり、上記ファクシミリ装置８において表示データ生成手段としてのＨＴＴＰサーバは、閲覧要求を送信してきた端末７に対応する言語設定を記憶しており、閲覧要求の送信元の端末７を特定して、その端末７に対応する言語設定を読出し、読出した言語設定に対応する文字列データをメモリから読出して表示データとしてのＨＴＭＬファイルの生成を行なう。このように、端末と言語設定との対応関係を記憶する構成にすれば、端末のユーザは、ファクシミリ装置８にアクセスするたびに表示データの言語を指定する必要がなく、ユーザの負担を軽減できる。
【００４６】
（他の実施形態）
以上、本発明の実施形態について詳述したが、本発明は、複数の機器から構成されるシステムに適用しても良いし、また、一つの機器からなる装置に適用しても良い。
【００４７】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００４８】
その場合、プログラムの機能を有していれば、オブジェクトコード、インタプリタにより実行されるプログラム、ＯＳに供給するスクリプトデータ等、プログラムの形態を問わない。
【００４９】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などがある。
【００５０】
その他、プログラムの供給方法としては、クライアントコンピュータのブラウザを用いてインターネットのホームページに接続し、ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００５３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００５４】
【図１】本発明の実施形態としてのファクシミリ装置の内部構成及びその周辺環境について説明する概略図である。
【図２】本発明の実施形態としてのファクシミリ装置に含まれる、ＮＩＣ及び本体制御部と、ファクシミリ装置にネットワーク接続された端末との間の処理の流れを説明するシーケンス図である。
【図３】本発明の実施形態としてのファクシミリ装置に含まれるＨＴＴＰサーバによるコンテンツ作成処理を示すフローチャートである。
【図４】本発明の実施形態としてのファクシミリ装置に含まれるメモリ空間上の文字列テーブルを示す図である。
【図５】本発明の実施形態としてのファクシミリ装置に含まれる本体制御部での、メッセージ要求に対する処理を示すフローチャートである。
【符号の説明】
【００５５】
１  ネットワークインターフェース（ＨＴＴＰサーバ含む）
２  プリンタ制御部
３  本体制御部
４  操作制御部（表示部含む）
５  ＦＡＸ制御部
６  ローカルエリアネットワーク（ＬＡＮ）
７  ＬＡＮ上の端末（ＰＣ等）
８  ファクシミリ装置
９  公衆回線（ＰＳＴＮ／ＩＳＤＮ）
１０  回線上のＦＡＸ端末
【図１】
2006025127.tif 000003
【図２】
2006025127.tif 000004
【図３】
2006025127.tif 000005
【図４】
2006025127.tif 000006
【図５】
2006025127.tif 000007